(57)【特許請求の範囲】
【請求項１】
建物の開口の上部に水平に上レールを上レールが開口の上部の壁面の外面から突出すると共に上レールが開口に側方に延出されるように取り付け、この上レールに対面する位置で開口の下部に上レールと平行になるように下レールを取り付け、上レールと下レールとの間に引戸を走行自在に取り付けることで開口に引戸が外付けで開閉自在に取り付けられる引戸装置において、開口の開口枠にロック装置を装着すると共にロック装置にレバーの操作にて引戸の厚さ方向に出入りするロックバーを設け、引戸の側部に引戸の表裏に貫通するように貫通穴を設けて貫通穴の裏面側にロックバー挿通金具を貫通穴の表面側に貫通穴覆いプレートを配置すると共にロックバー挿通金具と貫通穴覆いプレートとを結合してこれらを引戸に固定し、ロックバーが上記ロックバー挿通金具のロック穴に挿通されてロックされた状態で引戸の表面側からロックを解除する解除手段を設けて成ることを特徴とする引戸装置の施錠構造。
【請求項２】
引戸の表面側からロックを解除する解除手段は貫通穴覆いプレートに上記ロック穴に連通する解除穴を設けることで形成され、解除穴からピン等を挿通してロックバーを押すことでロックを解除するようにしたことを特徴とする請求項１記載の引戸装置の施錠構造。
【請求項３】
ロック装置は開口の開口枠に埋設するように取り付けられたことを特徴とする請求項１または請求項２記載の引戸装置の施錠構造。
【請求項４】
引戸の表面側にロック状態か非ロック状態かを表示する施錠表示手段を設けて成ることを特徴とする請求項１乃至請求項３のいずれかに記載の引戸装置の施錠構造。
【請求項５】
施錠表示手段はロックバー挿通金具にロックバーが挿通されたときロックバーで押されて作動する構造にしたことを特徴とする請求項４記載の引戸の施錠構造。
【発明の詳細な説明】
【０００１】
【発明の属する技術分野】
本発明は建物の開口に外付けで取り付け施工する引戸装置で、引戸を施錠する構造に関するものである。
【０００２】
【従来の技術】
近年、ドアが開閉自在に取り付けられた建物の開口を引戸にて開閉し得るように改装したいという要望があるが、引戸にする場合、例えば次のように施工しなければならない。ドアやドア枠を取り外し、開口の近傍の壁を解体し、引戸を取り付けるための鴨居や敷居を新たに取り付け、壁を引戸に合わせて仕上げなければならない。ところが、上記従来例の場合、壁まで解体して工事をしなければならなく、工事が大掛かりになるという問題があった。
【０００３】
そこで、本特許出願人は先に、建物の開口の上部に水平に上レールを上レールが開口の上部の壁面の外面から突出すると共に上レールが開口に側方に延出されるように取り付け、この上レールに対面する位置で開口の下部に上レールと平行になるように下レールを取り付け、上レールと下レールとの間に引戸を走行自在に取り付けることで開口に引戸が外付けで開閉自在に取り付けられる引戸装置を提案した。
【０００４】
【発明が解決しようとする課題】
かかる引戸装置の場合、容易に引戸に改装できるが、市販の施錠手段では引戸を施錠できないという新たな問題が生じる。つまり通常の引戸の場合、引戸の端面と開口の開口枠の木口面のとの間に施錠する施錠手段を設けるものであるためにこのような施錠手段は外付けの引戸の施錠には用いることができないという問題があった。
【０００５】
本発明は叙述の点に鑑みてなされたものであって、外付けで取り付けられる引戸でも簡単な構造で施錠できる引戸装置の施錠構造を提供することを課題とする。
【０００６】
【課題を解決するための手段】
上記課題を解決するため本発明の請求項１の引戸装置の施錠構造は、建物の開口１の上部に水平に上レール２を上レール２が開口１の上部の壁３面の外面から突出すると共に上レール２が開口１に側方に延出されるように取り付け、この上レール２に対面する位置で開口１の下部に上レール２と平行になるように下レール４を取り付け、上レール２と下レール４との間に引戸５を走行自在に取り付けることで開口１に引戸５が外付けで開閉自在に取り付けられる引戸装置において、開口１の開口枠６にロック装置７を装着すると共にロック装置７にレバー８の操作にて引戸５の厚さ方向に出入りするロックバー９を設け、引戸５の側部に引戸５の表裏に貫通するように貫通穴１０を設けて貫通穴１０の裏面側にロックバー挿通金具１１を貫通穴１０の表面側に貫通穴覆いプレート１２を配置すると共にロックバー挿通金具１１と貫通穴覆いプレート１２とを結合してこれらを引戸５に固定し、ロックバー９が上記ロックバー挿通金具１１のロック穴１３に挿通されてロックされた状態で引戸５の表面側からロックを解除する解除手段を設けて成ることを特徴とする。引戸５の裏面側ではロック装置７のレバー８を操作することによりロックバー９をロックバー挿通金具１１のロック穴１３に係合してロックしたり、ロック穴１３からロックバー９を抜いてロックを解除したりでき、またロック穴１３にロックバー９を係合してロックした状態で非常時等に引戸５の表面側から解除手段にて操作してロックを解除できる。これにより外付けの引戸装置であっても施錠手段を設けることができると共に施錠手段の構造も簡単にできる。
【０００７】
また本発明の請求項２の引戸装置の施錠構造は、請求項１において、引戸５の表面側からロックを解除する解除手段は貫通穴覆いプレート１２に上記ロック穴１３に連通する解除穴１４を設けることで形成され、解除穴１４からピン１５等を挿通してロックバー９を押すことでロックを解除するようにしたことを特徴とする。引戸５の表面側から施錠を解除する構造を簡単にできる。
【０００８】
また本発明の請求項３の引戸装置の施錠構造は、請求項１または請求項２において、ロック装置７は開口１の開口枠６に埋設するように取り付けられたことを特徴とする。ロック装置７を外観よく且つ邪魔にならないように取り付けることができる。
【０００９】
また本発明の請求項４の引戸装置の施錠構造は、請求項１乃至請求項３のいずれかにおいて、引戸５の表面側にロック状態か非ロック状態かを表示する施錠表示手段を設けて成ることを特徴とする。引戸５の表面側から施錠表示手段を見ることでロック状態か非ロック状態であるか容易に認識できる。
【００１０】
また本発明の請求項５の引戸の施錠構造は、請求項４において、施錠表示手段はロックバー挿通金具１１にロックバー９が挿通されたときロックバー９で押されて作動する構造にしたことを特徴とする。ロックバー９に連動して施錠表示手段でロック状態か非ロック状態かを表示でき、施錠表示手段を簡単且つ確実に作動させることができる。
【００１１】
【発明の実施の形態】
図２（ａ）のようにドア１７が開閉自在に取り付けられている建物の開口１を引戸５が走行することで開閉する引戸装置に改装する場合、ドア１７を取り外し、図２（ｂ）に示すようにドア枠１８を解体し、図２（ｃ）に示すように開口１に開口枠６を取り付けると共に開口１の近傍に上レール２や下レール４や引戸５が取り付けられる。開口１には開口１の内周に沿って開口枠６が取り付けられ、開口枠６と開口１縁との間には夫々縁材１９が装着される。開口枠６は左右の縦枠６ａ，６ｂと上枠６ｃとで構成されている。開口１の上部には略水平に上レール２が取り付けられるが、上レール２が開口１の上部の壁３面の外面に突出するように取り付けられ、上レール２が開口１の側方に延出するように取り付けられる。上レール２の長さは開口１の横方向の幅の略２倍の長さである。この上レール２の真下で床面２０には上レール２と略平行になるように下レール４を敷設してある。このように上レール２と下レール４とを取り付けた状態で上レール２と下レール４との間には引戸５が開閉自在に取り付けられる。
【００１２】
上記上レール２は断面略逆Ｕ字状であり、上レール２を開口１の上部の壁３面の外面に沿わせ、ビス等の固着具２１にて壁３面に取り付けてある。引戸５の上部には略Ｌ字状の取り付け金具２２を取り付けてあり、取り付け金具２２の横片上には円筒状のローラ２３を水平回転するように装着してあり、引戸５の下端には戸車２４を装着してある。引戸５を取り付けるとき図２（ｄ）に示すようにケンドン式で上レール２と下レール４との間に取り付けられるものであり、上レール２内にローラ２３が嵌め込まれると共に戸車２４が下レール４に載置される。また引戸５には把手２５を設けてあり、把手２５を持って引戸５を上レール２や下レール４の長手方向にスライドさせ、引戸５を閉じたり、開いたりできる。
【００１３】
上記のように外付けの引戸装置が構成されるが、この引戸装置に次のように施錠手段が設けられる。開口枠６の縦枠６ａにはロック装置７が図４に示すようにビスのような取り付けねじ２６にて取り付けられている。このロック装置７は偏平な直方体状の筐体２７と筐体２７に摺動自在に装着したロックバー９とで主体が構成され、ロックバー９に一体に設けたレバー８を筐体２７の窓２８から露出させてある。そしてレバー８を操作することによりロックバー９を引戸５の面と直交する方向に出し入れできるようになっている。このロック装置７を取り付けた位置と対応する位置で引戸５には図５に示すように表裏に貫通するように貫通穴１０を形成してあり、貫通穴１０の上下に取り付け穴２９を貫通するように配置してある。ロックバー挿通金具１１はロック穴１３を凹設して形成されており、引戸５の裏面側で貫通穴１０に嵌め込んである。貫通穴覆いプレート１２は取り付けボス３０を設けて形成されており、引戸５の表面側で貫通穴１０の位置に配置してあり、取り付けボス３０を取り付け穴２９に挿通してある。そしてビスのような取り付けねじ３１を引戸５の裏面側から取り付け穴２９を介して取り付けボス３０に螺入することで貫通穴１０の表裏に貫通穴覆いプレート１２とロックバー挿通金具１１を取り付けてある。
【００１４】
しかして引戸５を閉じた状態で引戸５の裏面側からレバー８を操作することで引戸５をロックして施錠したり、施錠を解除したりできる。レバー８を操作してロックバー９を突出させると、ロックバー９の先端がロック穴１３に係合してロックされ、またレバー８を操作してロックバー９を引くと、ロックバー９が抜けてロックが解除され、引戸５を自由に開閉できる。上記のようにすることで、外付けで引戸５が開閉自在になっているものでも施錠手段を設けて施錠し得るようにできると共に比較的簡単な構造で施錠手段を設けることができる。
【００１５】
また引戸５を閉じて施錠した状態で、非常時等に引戸５の表面側からもロックが解除できるように解除手段を設ける必要があるが、本例の場合、解除手段として解除穴１４を貫通穴覆いプレート１２に穿孔してあり、解除穴１４を貫通穴１０を介して上記ロック穴１３に連通させてある。本例のロック穴１３の場合、板金を凹没するように加工して有底筒状になっているために図６に示すようにロック穴１３の底面に連通穴３２を穿孔してある。しかしてロックバー９の先端をロック穴１３に係合させたロック状態からロックを解除する場合、引戸５の表面側から例えばピン１５を解除穴１４に入れ、貫通穴１０、連通穴３２を介してピン１５をロック穴１３に入れ、ロックバー９の先端をピン１５で押し、ロックバー９がロック穴１３から抜けるようにロックバー９を押し、ロックを解除する。このようにすることで引戸５の表面側からでも簡単にロックを解除することができる。
【００１６】
また上記例ではロック装置７を開口枠６の縦枠６ａの外面から突出するように取り付けたが、図７に示すように縦枠６ａに埋設するように取り付けてもよい。つまり、縦枠６ａに上記ロック装置７が収まる凹所３３を凹設し、この凹所３３にロック装置７を埋め、ビスのような取り付けねじ２６にて取り付けてもよい。このようにすると、ロック装置７が外面側に突出することがなくなり、外観が良くなると共に邪魔にならない。
【００１７】
また図８、図９は他の例を示すものである。本例の場合、引戸５の表面側から引戸５がロック状態であるか非ロック状態であるかを表示する施錠表示手段を設けてある。貫通穴覆いプレート１２の解除穴１４の下方の位置には表示穴３４を設けてあり、この表示穴３４の位置で貫通穴覆いプレート１２の内面側には表示体３５を上下に摺動自在に装着してあり、表示体３５が上に摺動するようにバネ３６にて付勢してある。表示体３５には色表示等で異なる表示をするロック状態表示部３５ａと非ロック状態表示部３５ｂとを設けてある。またロックバー挿通金具１１の内面側には略Ｌ字状の連動レバー３７を回転自在に装着してあり、ロック穴１３にロックバー９が挿入されたときロックバー９に連動して回動するようになっている。上記表示体３５には係当部３８を設けてあり、この係当部３８の上面に連動レバー３７の一端を係当させてある。
【００１８】
図８は非ロック状態であり、ロック穴１３にロックバー９が挿入されていなく、連動レバー３７は押されていない。このため表示体３５は上方にバネ３６の付勢にて摺動しており、表示体３５の非ロック状態表示部３５ｂと表示穴３４とが対応しており、非ロック状態が表示されている。図９はロック状態にする途中であり、ロック穴１３にロックバー９が挿入されて係合している。ロック穴１３にロックバー９が挿入されることにより、連動レバー３７が回動し、連動レバー３７の回動にて表示体３５がバネ３６に抗して下方に摺動し、表示穴３４と表示体３５のロック状態表示部３５ａとが対応し、ロック状態であることが表示される。このように構成されることで引戸５の表面側からロック状態であるか、非ロック状態であるかを容易に認識することができる。またロックバー９に連動して表示されるために簡単な構造で正確に表示される。
【００１９】
【発明の効果】
本発明の請求項１の発明は、開口の開口枠にロック装置を装着すると共にロック装置にレバーの操作にて引戸の厚さ方向に出入りするロックバーを設け、引戸の側部に引戸の表裏に貫通するように貫通穴を設けて貫通穴の裏面側にロックバー挿通金具を貫通穴の表面側に貫通穴覆いプレートを配置すると共にロックバー挿通金具と貫通穴覆いプレートとを結合してこれらを引戸に固定し、ロックバーが上記ロックバー挿通金具のロック穴に挿通されてロックされた状態で引戸の表面側からロックを解除する解除手段を設けているので、引戸の裏面側ではロック装置のレバーを操作することによりロックバーをロックバー挿通金具のロック穴に係合してロックしたり、ロック穴からロックバーを抜いてロックを解除したりでき、またロック穴にロックバーを係合してロックした状態で非常時等に引戸の表面側から解除手段にて操作してロックを解除できるものであり、外付けの引戸装置であっても施錠手段を設けることができると共に施錠手段の構造も簡単にできるものである。
【００２０】
また本発明の請求項２の発明は、請求項１において、引戸の表面側からロックを解除する解除手段は貫通穴覆いプレートに上記ロック穴に連通する解除穴を設けることで形成され、解除穴からピン等を挿通してロックバーを押すことでロックを解除するようにしたので、引戸の表面側から施錠を解除する構造を簡単にできるものである。
【００２１】
また本発明の請求項３の発明は、請求項１または請求項２において、ロック装置は開口の開口枠に埋設するように取り付けられたので、ロック装置を外観よく且つ邪魔にならないように取り付けることができるものである。
【００２２】
また本発明の請求項４の発明は、請求項１乃至請求項３のいずれかにおいて、引戸の表面側にロック状態か非ロック状態かを表示する施錠表示手段を設けているので、引戸の表面側から施錠表示手段を見ることでロック状態か非ロック状態であるか容易に認識できるものである。
【００２３】
また本発明の請求項５の発明は、請求項４において、施錠表示手段はロックバー挿通金具にロックバーが挿通されたときロックバーで押されて作動する構造にしたので、ロックバーに連動して施錠表示手段でロック状態か非ロック状態かを表示でき、施錠表示手段を簡単且つ確実に作動させることができるものである。
【図面の簡単な説明】
【図１】本発明の実施の形態の一例の引戸装置を示す分解斜視図である。
【図２】（ａ）（ｂ）（ｃ）（ｄ）は同上の引戸装置の施工する手順を示す概略斜視図である。
【図３】同上の引戸装置の施工した状態を示し、（ａ）は正面図、（ｂ）は横断面図、（ｃ）は縦断面図である。
【図４】同上のロック装置を取り付ける状態を示し、（ａ）は分解斜視図、（ｂ）はロック装置を取り付けた状態の斜視図である。
【図５】同上の引戸にロックバー挿通金具や貫通穴覆いプレートを取り付ける状態を示す斜視図である。
【図６】同上のロック装置とロック穴の部分を示す一部切欠側面図である。
【図７】同上の他の例のロック装置を取り付ける状態を示す分解斜視図である。
【図８】同上の他の例の非ロック状態を示し、（ａ）は要部の断面図、（ｂ）（ａ）の左側面図、（ｃ）は（ａ）の右側面図である。
【図９】同上のロック状態にする途中の要部の断面図である。
【符号の説明】
１  開口
２  上レール
３  壁
４  下レール
５  引戸
６  開口枠
７  ロック装置
８  レバー
９  ロックバー
１０  貫通穴
１１  ロックバー挿通金具
１２  貫通穴覆いプレート
１３  ロック穴
１４  解除穴
【図１】
0003591404.tif 000002
【図２】
0003591404.tif 000003
【図３】
0003591404.tif 000004
【図４】
0003591404.tif 000005
【図５】
0003591404.tif 000006
【図６】
0003591404.tif 000007
【図７】
0003591404.tif 000008
【図８】
0003591404.tif 000009
【図９】
0003591404.tif 000010